(57)【要約】      （修正有）【課題】シール部材をしっかりと固定するためのシール部材固定具、シール組立体、コネクタ組立体及びハウジング組立体を提供する。【解決手段】弾筒キャビティを形成するよう取り囲む弾筒状本体を具備するシール部材固定具２０を開示する。弾筒状本体の外壁の周囲に収容スロットが設けられる。収容スロットは上壁及び下壁を有する。上壁には第１突起２４が設けられる。第１突起２４は、上壁の外面から突出する。シール部材固定具２０、シール組立体、コネクタ組立体及びハウジング組立体において、シール部材固定具２０の収容スロットはシール部材１０の側壁を収容するために用いられる。第１突起２４は、シール部材１０の環状側壁内に埋め込まれ、シール組立体の挿入及び抜去の際にシール部材固定具２０及びシール部材１０間の接続強度を向上させることができる。【選択図】図１
0003196537.tif 000002
【実用新案登録請求の範囲】
【請求項１】
弾筒キャビティを形成するよう取り囲む弾筒状本体を具備するシール部材固定具であって、
前記弾筒状本体の外壁の周囲に収容スロットが設けられ、
前記収容スロットは、上壁及び下壁を有し、
前記上壁には第１突起が設けられ、
前記第１突起は、前記上壁の外面から突出することを特徴とするシール部材固定具。
【請求項２】
前記第１突起の数は３個以上であり、
３個以上の前記第１突起が前記上壁の前記外面に分布することを特徴とする請求項１記載のシール部材固定具。
【請求項３】
前記弾筒状本体の内面には内部肩が設けられることを特徴とする請求項１記載のシール部材固定具。
【請求項４】
第２突起が、前記弾筒状本体の前記外面に設けられると共に前記弾筒状本体の前記外面から突出することを特徴とする請求項１記載のシール部材固定具。
【請求項５】
第２突起及び第３突起が前記弾筒状本体の前記外面から突出して設けられ、前記第２突起及び前記第３突起の間に所定の空間が設けられることを特徴とする請求項１記載のシール部材固定具。
【請求項６】
前記弾筒状本体は貫通スロットを具備し、
前記貫通スロットは、前記弾筒状本体の外面から内面まで延びて前記弾筒キャビティに連通し、
前記弾筒状本体の内面に第１段が設けられ、
前記貫通スロットの下側スロット縁と前記第１段との間に所定の空間が設けられることを特徴とする請求項１記載のシール部材固定具。
【請求項７】
前記弾筒状本体の外面に溝が設けられ、
前記貫通スロットは前記溝と連通することを特徴とする請求項６記載のシール部材固定具。
【請求項８】
前記弾筒状本体の外面は、複数のリブを具備し、
前記複数のリブは、前記弾筒状本体の外面に周囲係合面を形成することを特徴とする請求項１記載のシール部材固定具。
【請求項９】
シール部材と、請求項１ないし３及び８のうちいずれか１項記載のシール部材固定具とを具備するシール組立体であって、
前記シール部材は弾筒状側壁を具備し、
前記弾筒状側壁は管状キャビティを形成するよう取り囲み、
前記管状キャビティ内に固定板が設けられ、
前記固定板は、該固定板を貫通する複数のスルーホールを有し、
前記シール部材は、前記シール部材固定具の周囲に取り外し可能に設けられ、
前記シール部材固定具の一端は、前記管状キャビティ内に配置され、
前記管状キャビティから前記弾筒状側壁内に前記第１突起が埋め込まれることを特徴とするシール組立体。
【請求項１０】
前記第２突起が、前記弾筒状本体の外面に設けられると共に前記弾筒状本体の外面から突出することを特徴とする請求項９記載のシール組立体。
【請求項１１】
第２突起及び第３突起が前記弾筒状本体の外面から突出して設けられ、
前記第２突起及び前記第３突起の間に所定の空間が設けられることを特徴とする請求項９記載のシール組立体。
【請求項１２】
前記弾筒状本体は貫通スロットを具備し、
前記貫通スロットは、前記弾筒状本体の外面から内面まで延びて前記弾筒キャビティに連通し、
前記弾筒状本体の内面に第１段が設けられ、
前記貫通スロットの下側スロット縁と前記第１段との間に所定の空間が設けられることを特徴とする請求項９記載のシール組立体。
【請求項１３】
前記弾筒状側壁の上端に接続板が設けられ、
前記接続板の背面に円弧状スロットが設けられ、
前記接続板の一端は前記弾筒状側壁に接続され、
前記接続板の他端は固定板に接続され、
前記固定板、前記弾筒状側壁及び前記接続板は、受容スロットを形成して取り囲み、
前記受容スロットは前記管状キャビティに連通し、
前記シール部材固定具の一端は、前記受容スロット内に配置され、
前記収容スロットの上壁は前記円弧状スロット内に配置されることを特徴とする請求項９記載のシール組立体。
【請求項１４】
前記第１突起の側面は、前記接続板の外面の形状に従った円弧形状であることを特徴とする請求項１３記載のシール組立体。
【請求項１５】
前記接続板はスルーホールを具備し、
前記第１突起の側面は前記スルーホールを貫通して前記接続板から延びることを特徴とする請求項１３記載のシール組立体。
【請求項１６】
前記第１突起の側面は、円弧状接続板の外面と面一か、又は該外面より低いことを特徴とする請求項１５記載のシール組立体。
【請求項１７】
請求項９及び１２ないし１４のうちいずか１項記載のシール組立体と、前記シール部材固定具の前記弾筒キャビティ内に部分的に配置された端子コネクタとを具備することを特徴とするコネクタ組立体。
【請求項１８】
前記端子コネクタの外壁は、該外壁から突出する第４突起を具備し、
前記弾筒状本体は貫通スロットを具備し、
前記貫通スロットは、前記弾筒状本体の外面から内面まで延びて前記弾筒キャビティに連通し、
前記第４突起は、前記貫通スロット内に埋め込まれ、前記シール部材固定具を前記端子コネクタに接続することを特徴とする請求項１７記載のコネクタ組立体。
【請求項１９】
前記弾筒状本体の内面に第１段が設けられ、
端子コネクタの外壁は、該外壁から突出する第２段を具備し、
前記第１段は前記第２段に当接することを特徴とする請求項１８記載のコネクタ組立体。
【請求項２０】
ハウジングと、請求項１７記載のコネクタ組立体とを具備し、
前記ハウジングは挿入ポートを具備し、
前記コネクタ組立体は前記挿入ポートに接続されることを特徴とするハウジング組立体。
【請求項２１】
第２突起及び第３突起が前記弾筒状本体の外面から突出して設けられ、
前記第２突起及び前記第３突起の間に所定の空間が設けられ、
前記挿入ポートにおける前記ハウジングの一壁にスナップスロットが設けられ、
前記スナップスロットは、前記第２突起及び前記第３突起の少なくとも一方と取り外し可能に係合し、前記シール部材固定具を前記ハウジングに接続することを特徴とする請求項２０記載のハウジング組立体。
【請求項２２】
前記スナップスロットが前記第２突起及び前記第３突起と取り外し可能に接続され、第１接続位置及び第２接続位置で前記シール部材固定具及び前記ハウジングを保持することを特徴とする請求項２１記載のハウジング組立体。
【考案の詳細な説明】
【技術分野】
【０００１】
本考案は、シール部材固定具、シール組立体、コネクタ組立体及びハウジング組立体に関する。
【背景技術】
【０００２】
電気デバイスを収容するための電気コネクタ又はハウジングは、使用の際に封止する必要がある。コネクタ又は電気デバイスハウジングの接続インタフェースにおける封止ガスケット、例えば、雄コネクタ及び雌コネクタ間を封止するための封止ガスケット並びにプラグ端子及び電気コネクタ間を封止するための封止ガスケットは、従来技術ではしっかりと固定することができない。通常、封止ガスケットは、雄コネクタの外壁及び雌コネクタの内壁間に設けられる。封止性能を向上させるには、封止ガスケットが雄コネクタの外壁及び雌コネクタの内壁に密に接触する必要がある。このような構造において、雄コネクタ及び雌コネクタは組み立てられ又は挿入され抜去される一方、密な接触は摩擦力が大きいことを意味する。より大きな摩擦力は、封止ガスケットを脱落する傾向があり、封止性能が低下する。
【考案の概要】
【考案が解決しようとする課題】
【０００３】
本考案の目的は、従来技術の欠点を克服するために、シール部材をしっかりと固定するためのシール部材固定具を提供することである。
【課題を解決するための手段】
【０００４】
上述の目的を達成するために、本考案は以下の技術的解決手段を用いる。すなわち、弾筒（canister）キャビティを形成するよう取り囲む弾筒状本体を具備し、弾筒状本体の外壁の周囲に収容スロットが設けられ、収容スロットは、上壁及び下壁を有し、上壁には第１突起が設けられ、第１突起は、上壁の外面から突出することを特徴とするシール部材固定具である。
【０００５】
好適には、第１突起の数は３個以上であり、３個以上の第１突起が上壁の外面に分布する。
【０００６】
好適には、弾筒状本体の内面には内部肩が設けられる。
【０００７】
好適には、第２突起が、弾筒状本体の外面に設けられると共に弾筒状本体の外面から突出する。
【０００８】
好適には、第２突起及び第３突起が弾筒状本体の外面から突出して設けられ、第２突起及び第３突起の間に所定の空間が設けられる。
【０００９】
好適には、弾筒状本体は貫通スロットを具備する。貫通スロットは、弾筒状本体の外面から内面まで延びて弾筒キャビティに連通する。弾筒状本体の内面に第１段が設けられる。貫通スロットの下側スロット縁と第１段との間に所定の空間が設けられる。
【００１０】
好適には、弾筒状本体の外面に溝が設けられる。貫通スロットは溝と連通する。
【００１１】
好適には、弾筒状本体の外面は、複数のリブを具備する。複数のリブは、弾筒状本体の外面に周囲係合面を形成する。
【００１２】
本考案の第２の目的は、従来技術の欠点を克服するために、シール部材をしっかりと固定するシール組立体を提供することである。
【００１３】
上述の目的を達成するために、本考案は以下の技術的解決手段を用いる。すなわち、シール部材と、上述したシール部材固定具とを具備し、シール部材は弾筒状側壁を具備し、弾筒状側壁は管状キャビティを形成するよう取り囲み、管状キャビティ内に固定板が設けられ、固定板は、固定板を貫通する複数のスルーホールを有し、シール部材は、シール部材固定具の周囲に取り外し可能に設けられ、シール部材固定具の一端は、管状キャビティ内に配置され、管状キャビティから弾筒状側壁内に第１突起が埋め込まれることを特徴とするシール組立体である。
【００１４】
好適には、第２突起が、弾筒状本体の外面に設けられると共に弾筒状本体の外面から突出する。
【００１５】
好適には、第２突起及び第３突起が弾筒状本体の外面から突出して設けられ、第２突起及び第３突起の間に所定の空間が設けられる。
【００１６】
好適には、弾筒状本体は貫通スロットを具備する。貫通スロットは、弾筒状本体の外面から内面まで延びて弾筒キャビティに連通する。弾筒状本体の内面に第１段が設けられる。貫通スロットの下側スロット縁と第１段との間に所定の空間が設けられる。
【００１７】
好適には、弾筒状側壁の上端に接続板が設けられ、接続板の背面に円弧状スロットが設けられる。接続板の一端は弾筒状側壁に接続され、他端は固定板に接続される。固定板、弾筒状側壁及び接続板は、受容スロットを形成して取り囲む。受容スロットは管状キャビティに連通する。シール部材固定具の一端は、受容スロット内に配置される。収容スロットの上壁は円弧状スロット内に配置される。
【００１８】
好適には、第１突起の側面は、接続板の外面の形状に従った円弧形状である。
【００１９】
好適には、接続板はスルーホールを具備し、第１突起の側面はスルーホールを貫通して接続板から延びる。
【００２０】
好適には、第１突起の側面は、円弧状接続板の外面と面一か、又はその外面より低い。
【００２１】
本考案の第３の目的は、従来技術の欠点を克服するために、シール部材をしっかりと固定するコネクタ組立体を提供することである。
【００２２】
上述の目的を達成するために、本考案は以下の技術的解決手段を用いる。すなわち、上述したシール組立体と、シール部材固定具の弾筒キャビティ内に部分的に配置された端子コネクタとを具備することを特徴とするコネクタ組立体である。
【００２３】
好適には、端子コネクタの外壁は、外壁から突出する第４突起を具備する。弾筒状本体は貫通スロットを具備する。貫通スロットは、弾筒状本体の外面から内面まで延びて弾筒キャビティに連通する。第４突起は、貫通スロット内に埋め込まれ、シール部材固定具を端子コネクタに接続する。
【００２４】
好適には、弾筒状本体の内面に第１段が設けられる。端子コネクタの外壁は、外壁から突出する第２段を具備する。第１段は第２段に当接する。
【００２５】
本考案の第４の目的は、シール部材をしっかりと固定するハウジング組立体を提供することである。
【００２６】
上述の目的を達成するために、本考案は以下の技術的解決手段を用いる。すなわち、ハウジングと、上述したコネクタ組立体とを具備し、ハウジングは挿入ポートを具備し、コネクタ組立体は挿入ポートに接続されることを特徴とするハウジング組立体である。
【００２７】
好適には、第２突起及び第３突起が弾筒状本体の外面から突出して設けられ、第２突起及び第３突起の間に所定の空間が設けられる。挿入ポートにおけるハウジングの一壁にスナップスロットが設けられる。スナップスロットは、第２突起及び第３突起の少なくとも一方と取り外し可能に係合し、シール部材固定具をハウジングに接続する。
【００２８】
好適には、スナップスロットが第２突起及び第３突起と取り外し可能に接続され、第１接続位置及び第２接続位置でシール部材固定具及びハウジングを保持する。
【００２９】
本考案のシール部材固定具、シール組立体、コネクタ組立体及びハウジング組において、シール部材固定具の収容スロットは、シール部材の側壁を収容するのに用いられ、第１突起はシール部材の環状側壁内に埋め込まれ、第１突起は、シール組立体の挿入及び抜去される際に、シール部材固定具及びシール部材間の接続強度を向上させることができる。シール部材固定具の第１突起は、弾筒状本体の外面から突出し、シール部材の抜去方向に直交する第１突起は、管状キャビティからシール部材を抜去するための推進力を提供し、シール部材を捕捉してシール部材がシール部材固定具から分離することを防止する。本考案によれば、第１突起及び第２突起がシール部材固定具上に配置され、第１接続位置及び第２接続位置にシール部材固定具及びハウジングを保持するので、シール部材固定具及びハウジングは、使用中に容易に係合解除されず、より安全に使用される。本考案に係るシール部材固定具は、挿入機に接続されてコネクタ組立体を形成するように、挿入機と接続可能な構造をさらに具備する。挿入機はハウジングに接続されてもよい。
【図面の簡単な説明】
【００３０】
【図１】本考案に係るシール組立体の斜視図である。
【図２】本考案に係るシール組立体の分解断面図である。
【図３】本考案に係るシール部材固定具の斜視図である。
【図４】本考案に係るシール部材固定具の断面図である。
【図５】本考案に係るシール部材固定具の平面図である。
【図６】本考案に係るシール部材固定具の底面図である。
【図７】本考案のシール組立体のシール部材の斜視図である。
【図８】本考案のシール組立体のシール部材を別の方向から見た斜視図である。
【図９】本考案に係るハウジング組立体の分解斜視図である。
【図１０】本考案に係るハウジング組立体の組立後の部分断面図である。
【図１１】本考案に係るハウジング組立体の組立後の別の部分断面図である。
【図１２】本考案に係るハウジング組立体の組立後の部分横断面図である。
【考案を実施するための形態】
【００３１】
図１及び図２に示されるように、シール組立体は、シール部材１０及びシール部材固定具２０を具備する。シール部材１０は、シール部材固定具２０の一端の周囲に取り外し可能に設けられる。シール部材固定具２０の第１突起２４は、シール部材１０の管状キャビティ１２からシール部材１０の弾筒状（canister-like）側壁１１内に挿入され、シール部材１０をシール部材固定具２０上に保持する。
【００３２】
図１ないし図６に示されるように、シール部材固定具２０は、弾筒キャビティ２２を形成するよう取り囲む弾筒状本体２１を具備する。収容スロット２３が弾筒状本体２１の外壁の周囲に設けられ、シール部材１０の弾筒状側壁１１を保持する（図１０参照）。収容スロット２３は、上壁２３１及び下壁２３２を有する。図４に示されるように、シール部材１０の弾筒状側壁１１を保持するために、収容スロット２３の上壁２３１及び下壁２３２の間に所定の空間Ｈ１が設けられる。弾筒状本体２１の内面は内部肩２８を具備し、シール部材１０の固定板１３を支持する（図１０参照）。図５に示された好適実施形態において、内部肩２８は、弾筒状本体２１の内面に連続的に設けられ、リング形状を形成する。
【００３３】
上壁２３１は第１突起２４を具備する。第１突起２４は、上壁２３１の外面から突出する。第１突起２４の数は、１個、２個、又は３個以上であってもよい。本考案の好適な一実施形態において、４個の第１突起２４が上壁２３１の外面全周に均等に分布する。以下に述べるように、第１突起２４は、シール部材固定具２０にシール部材１０を保持することに用いてもよい。
【００３４】
第２突起２５が、弾筒状本体２１の外面に設けられ、弾筒状本体２１の外面から突出する。第２突起２５の数は、１個、２個、又は３個以上であってもよい。好適には、第２突起２５の数は第１突起２４の数より少ない。各第２突起２５は、第１突起２４の一つに対して垂直方向に対向して配置される。弾筒状本体２１の外面には第３突起２７がさらに設けられる。第２突起２５は、第３突起２７と垂直方向に整列して配置される。以下に述べるように、第２突起２５及び第３突起２７は、ハウジングの対応する構造とそれぞれ係合して第１接続位置及び第２接続位置にシール部材固定具２０及びハウジングを保持する。図４に示されるように、所定の空間Ｈ２が第２突起２５及び第３突起２７間に設けられ、ハウジングに対するシール部材固定具２０の第１接続位置及び第２接続位置に対応する。
【００３５】
弾筒状本体２１の外面に溝２６が設けられる。溝２６内には貫通スロット２６１が設けられる。貫通スロット２６１は、弾筒状本体２１の外面から内面まで延びて弾筒キャビティ２２に連通する。弾筒状本体２１の内面には第１段２９が設けられる。本考案の好適な一実施形態において、貫通スロット２６１及び第１段２９は、シール部材固定具２０を端子コネクタ３０に接続するために相手コネクタ３０上の対応する構造に対応する。図４に示された一例において、貫通スロット２６１の下側スロット縁２６２及び第１段２９の間に、所定の空間Ｈ３が設けられる。以下に述べるように、空間Ｈ３は、シール部材固定具２０及び端子コネクタ３０を接続してコネクタ組立体を形成するために相手端子コネクタ３０上の対応する構造に対応する。図示の例において、貫通スロット２６１は、弾筒状本体２１の第２突起２５及び第３突起２７間に配置される。
【００３６】
弾筒状本体２１の外面は複数のリブ２１１を具備する。図示の例において、リブ２１１は垂直方向に延びる。複数のリブ２１１は、弾筒状本体２１の外面上に周囲係合面を形成する。周囲係合面は、相手ハウジング４０のリセプタクル４２に対応し、図１０に示されるようにリセプタクル４２内にシール部材固定具２０を周辺固定係合するために用いられる。
【００３７】
図１、図２、図７及び図８に示されるように、シール部材１０は弾筒状側壁１１を具備する。弾筒状側壁１１は、管状キャビティ１２を形成するよう取り囲む。管状キャビティ１２内には固定板１３が設けられる。固定板１３は、固定板１３を貫通する複数のスルーホール１４を具備する。スルーホール１４は、導体ワイヤがスルーホール１４を通過することを許容する。固定板１３のスルーホール１４は、導体ワイヤがスルーホール１４を通過して導体ワイヤを封止する寸法に設定される。弾筒状側壁１１の上端には接続板１５が設けられる。接続板１５の外面１５１は、円弧形状に設定される。接続板１５の背面には円弧状スロット１６が設けられる。円弧状スロット１６は、受容スロット１７に連通する。接続板１５は、円弧状スロット１６に連通するスルーホール１６１を具備する。接続板１５の一端は弾筒状側壁１１に接続され、他端は固定板１３に接続される。固定板１３及び弾筒状側壁１１間に、受容スロット１７の丸みを形成する間隙が設けられる。受容スロット１７は管状キャビティ１２に連通する。弾筒状側壁１１、固定板１３及び接続板１５は、シール部材１０を形成するよう一体形成される。
【００３８】
シール組立体の組立完了時に、シール部材固定具２０の端部は、シール部材１０の受容スロット１７内に配置される。収容スロット２３の上壁２３１は円弧状スロット１６内に配置される。接続板１５はスルーホール１６１を具備する。スルーホール１６１は受容スロット１７に連通する。シール部材固定具２０の第１突起２４は、スルーホール１６１を通って外側へ接続板１５内に挿入され、シール部材固定具２０上にシール部材１０を保持し、シール部材１０がシール部材固定具２０から係合解除されることを防止する。本考案の好適な一実施形態において、第１突起２４は接続板１５を貫通する。より好適には、第１突起２４の側面２４１は、接続板１５の円弧状外面１５１に適合する円弧形状であり、接続板１５の円弧状外面１５１と面一か、又は円弧状外面１５１より低い。
【００３９】
シール組立体の応用構造が図９ないし図１２に示される。これらの図に示されるように、コネクタ組立体は、上述したシール組立体及び端子コネクタ３０を具備する。端子コネクタ３０には、接続端子を受容する複数の受容孔３５が設けられる。外壁は、外壁から突出する第４突起３１を具備する。端子コネクタ３０の外壁は、外壁から突出する第２段３２を具備する。差し込み方向に沿った第４突起３１及び第２段３２の間には、シール部材固定具２０の対応する構造と係合する所定の空間が設けられる。
【００４０】
コネクタ組立体が組み立てられると、端子コネクタ３０の端部は、シール部材固定具２０の弾筒状キャビティ２２内に挿入される。第４突起３１は貫通スロット２６内に埋め込まれ、第２段３１は第１段２９に当接する。第４突起３１は、弾筒状本体２１に係止し、端子コネクタ３０の端部からシール部材固定具２０が係合解除されることを防止する。第４突起３１及び第２段３２は、弾筒状側壁を部分的に保持し、シール部材固定具２０を端子コネクタ３０に接続してコネクタ組立体を形成する。
【００４１】
本考案に係るコネクタ組立体が用いられると、複数の接続端子３４が端子コネクタ３０の受容孔３５内に実装される。端子コネクタ３０の端部は、シール部材固定具２０の弾筒状キャビティ２２内に挿入される。第４突起３１は貫通スロット２６１内に埋め込まれ、第２段３２は弾筒状本体２１の第１段２９に当接する。第１突起３１及び第２段３２は、協働して弾筒状本体２１を保持し、端子コネクタ３０をシール部材固定具２０に接続する。
【００４２】
シール組立体すなわちシール部材固定具２０を有するコネクタ組立体は、相手ハウジング４０のリセプタクル４２内に取り外し可能に挿入され、相手ハウジング４０の挿入ポート４４に接続されてハウジング組立体を形成する。本考案の好適な一実施形態において、弾筒状本体２１の外面上の複数のリブ２１１が相手ハウジング４０の挿入ポート４４と対応して係合するので、シール部材固定具２０はリセプタクル４２の周囲に固定される。本考案の別の好適な実施形態において、ハウジング４０の挿入ポート４４にスナップスロット４６が設けられる。シール部材固定具２０の第２突起２５及び第３突起２７は、相手ハウジング４０のスナップスロット４６内にそれぞれ挿入され、シール部材固定具２０を相手ハウジング４０に接続し、シール部材固定具２０を軸方向に固定する。シール部材固定具２０の第２突起２５が相手ハウジング４０のスナップスロット４６内に挿入されると、シール部材固定具２０は、ハウジング４０に対して図１０に示される第１接続位置に保持される。シール部材固定具２０の第３突起２７が相手ハウジング４０のスナップスロット４６内に挿入されると、シール部材固定具２０は、ハウジング４０に対して図１１に示される第２接続位置に保持される。図１１に示される第２接続位置では、シール部材固定具２０は、ハウジング４０の挿入ポート４４内により挿入される。
【００４３】
ハウジング組立体の組立完了時に、シール組立体のシール部材１０は、シール部材固定具２０及び相手ハウジング４０の内壁間の間隙を封止する。図１０及び図１１に示されるように、シール部材１０の弾筒状側壁１１は、ハウジング４０の内壁及び弾筒状本体２１の外壁間で封止される。そして、シール部材１０の固定板１３は、弾筒状本体２１の内壁及び導体ワイヤ間で封止される。本考案の好適な一実施形態において、シール組立体は、放射方向の封止及び導体ワイヤ間の封止を同時に行う。シール部材固定具２０が相手ハウジング４０と接続又は接続解除されるようにシール部材固定具２０が挿入又は抜去される際に、第１突起２４はシール部材１０が受ける摩擦力を受け、シール部材１０がシール部材固定具２０から軸方向に分離することを防止する。
【００４４】
本考案に係るシール部材固定具、シール組立体、コネクタ組立体及びハウジング組立体において、シール部材固定具の収容スロットはシール部材の側壁を収容することに用いられ、第１突起はシール部材の環状側壁内に埋め込まれ、第１突起は、シール組立体の挿入及び抜去の際に、シール部材固定具及びシール部材間の接続強度を向上させる。シール部材固定具の第１突起は、弾筒状本体の外面から突出し、シール部材の抜去方向に直交する第１突起は、管状キャビティからシール部材を抜去するための推進力を提供し、シール部材を捕捉してシール部材がシール部材固定具から分離することを防止する。本考案によれば、第１突起及び第２突起がシール部材固定具上に配置され、第１接続位置及び第２接続位置にシール部材固定具及びハウジングを保持するので、シール部材固定具及びハウジングは、使用中に容易に係合解除されず、より安全に使用される。本考案に係るシール部材固定具は、挿入機に接続されてコネクタ組立体を形成するように、挿入機と接続可能な構造をさらに具備する。挿入機はハウジングに接続されてもよい。
【００４５】
本考案の実施形態は、本考案を例示するためにのみ用いられ、実用新案登録請求の範囲を限定するものと解釈してはならない。当業者が考える他の実質的に等価な代替案も全て本考案の範囲内である。
【符号の説明】
【００４６】
１０  シール部材
１１  弾筒状側壁
１２  管状キャビティ
１３  固定板
１４  スルーホール
１５  接続板
１６  円弧状スロット
１７  受容スロット
２０  シール部材固定具
２１  弾筒状本体
２２  弾筒キャビティ
２３  収容スロット
２４  第１突起
２５  第２突起
２６  溝
２７  第３突起
２８  内部肩
２９  第１段
３０  端子コネクタ
３１  第４突起
３２  第２段
４４  挿入ポート
４６  スナップスロット
２１１  リブ
２３１  上壁
２３２  下壁
２６１  貫通スロット
２６２  下側スロット縁
【図１】
0003196537.tif 000003
【図２】
0003196537.tif 000004
【図３】
0003196537.tif 000005
【図４】
0003196537.tif 000006
【図５】
0003196537.tif 000007
【図６】
0003196537.tif 000008
【図７】
0003196537.tif 000009
【図８】
0003196537.tif 000010
【図９】
0003196537.tif 000011
【図１０】
0003196537.tif 000012
【図１１】
0003196537.tif 000013
【図１２】
0003196537.tif 000014